(57)【要約】【課題】ユーザ毎に、過去の行動に応じた情報を配信する、情報配信システム、情報配信装置、端末装置、情報配信方法、及びプログラムを提供する。【解決手段】情報配信システム１は端末装置１０と情報配信装置２０とを備える。情報配信装置１０は、コンテンツ情報毎に端末装置１０の位置の履歴に基づく配信条件を設定する配信条件設定部２０１３と、コンテンツ情報毎に配信条件を登録したチケットを端末装置１０に配信するチケット配信部２０１６とを備える。端末装置１０は、チケット受信部１０３と、位置情報を格納する位置情報格納部１０２と、位置情報から端末装置１０の位置の履歴を特定し、それからチケットの配信条件が満たされているかどうかを判定するチケット有効化確認部１０４と、配信条件が満たされている場合に、情報配信装置２０に対して、チケットに対応するコンテンツ情報の配信を要求するコンテンツ要求部１０５とを備えている。【選択図】図１
2018151967.tif 000002
【特許請求の範囲】
【請求項１】
端末装置と、前記端末装置の要求に応じてコンテンツ情報を配信する、情報配信装置とを備え、
前記情報配信装置は、
前記コンテンツ情報毎に、前記端末装置の位置の履歴に基づく配信条件を設定する、配信条件設定部と、
前記コンテンツ情報毎に、当該コンテンツ情報の前記配信条件を登録したチケットを、前記端末装置に配信する、チケット配信部と、
を備え、
前記端末装置は、
配信されてきた前記チケットを受信する、チケット受信部と、
当該端末装置の位置を特定する位置情報を格納する、位置情報格納部と、
格納されている前記位置情報から当該端末装置の位置の履歴を特定し、特定した履歴に基づいて、受信している前記チケットの前記配信条件が満たされているかどうかを判定する、チケット有効化確認部と、
前記配信条件が満たされていると判定された場合に、前記情報配信装置に対して、前記チケットに対応するコンテンツ情報の配信を要求する、コンテンツ要求部と、
を備えている、
ことを特徴とする情報配信システム。
【請求項２】
前記情報配信装置において、前記配信条件設定部が、指定時刻又は指定期間における特定の位置、及び指定時刻又は指定期間における移動距離のうち少なくとも１つを配信条件として設定する、
請求項１に記載の情報配信システム。
【請求項３】
前記情報配信装置が、
前記端末装置に対して前記コンテンツ情報が配信された後に、前記端末装置が前記コンテンツ情報を再生した場合に、そのことを利用実績として登録する、利用実績登録部を、更に備えている、
請求項１または２に記載の情報配信システム。
【請求項４】
端末装置の要求に応じてコンテンツ情報を配信するための装置であって、
前記コンテンツ情報毎に、前記端末装置の位置の履歴に基づく配信条件を設定する、配信条件設定部と、
前記コンテンツ情報毎に、当該コンテンツ情報の前記配信条件を登録したチケットを、前記端末装置に配信する、チケット配信部と、
を備えている、
ことを特徴とする情報配信装置。
【請求項５】
前記配信条件設定部が、指定時刻又は指定期間における特定の位置、及び指定時刻又は指定期間における移動距離のうち少なくとも１つを配信条件として設定する、
請求項４に記載の情報配信装置。
【請求項６】
前記端末装置に対して前記コンテンツ情報が配信された後に、前記端末装置が前記コンテンツ情報を再生した場合に、そのことを利用実績として登録する、利用実績登録部を、更に備えている、
請求項４または５に記載の情報配信装置。
【請求項７】
コンテンツ情報を配信する情報配信装置と通信可能な端末装置であって、
前記情報配信装置が、前記コンテンツ情報毎に、前記端末装置の位置の履歴に基づく配信条件を設定し、当該コンテンツ情報の前記配信条件を登録したチケットを配信する場合において、前記情報配信装置から配信されてきた前記チケットを受信する、チケット受信部と、
当該端末装置の位置を特定する位置情報を格納する、位置情報格納部と、
格納されている前記位置情報から当該端末装置の位置の履歴を特定し、特定した履歴に基づいて、受信している前記チケットの前記配信条件が満たされているかどうかを判定する、チケット有効化確認部と、
前記配信条件が満たされていると判定された場合に、前記情報配信装置に対して、前記チケットに対応するコンテンツ情報の配信を要求する、コンテンツ要求部と、
を備えている、
ことを特徴とする端末装置。
【請求項８】
端末装置と、前記端末装置の要求に応じてコンテンツ情報を配信する、情報配信装置とを用いた情報配信方法であって、
（ａ）前記情報配信装置によって、前記コンテンツ情報毎に、前記端末装置の位置の履歴に基づく配信条件を設定する、ステップと、
（ｂ）前記情報配信装置によって、前記コンテンツ情報毎に、当該コンテンツ情報の前記配信条件を登録したチケットを、前記端末装置に配信する、ステップと、
（ｃ）前記端末装置によって、配信されてきた前記チケットを受信する、チケット受信部と、
当該端末装置の位置を特定する位置情報を格納する、ステップと、
（ｄ）前記端末装置によって、格納されている前記位置情報から当該端末装置の位置の履歴を特定し、特定した履歴に基づいて、受信している前記チケットの前記配信条件が満たされているかどうかを判定する、ステップと、
（ｅ）前記（ｄ）のステップで、前記配信条件が満たされていると判定された場合に、前記情報配信装置に対して、前記チケットに対応するコンテンツ情報の配信を要求する、ステップと、を有する、
ことを特徴とする情報配信方法。
【請求項９】
コンピュータによって、端末装置の要求に応じてコンテンツ情報を配信するためのプログラムであって、
前記コンピュータに、
（ａ）前記コンテンツ情報毎に、前記端末装置の位置の履歴に基づく配信条件を設定する、ステップと、
（ｂ）前記コンテンツ情報毎に、当該コンテンツ情報の前記配信条件を登録したチケットを、前記端末装置に配信する、ステップと、
を実行させる、
ことを特徴とするプログラム。
【請求項１０】
コンテンツ情報を配信する情報配信装置と通信可能なコンピュータに、
（ａ）前記情報配信装置が、前記コンテンツ情報毎に、前記端末装置の位置の履歴に基づく配信条件を設定し、当該コンテンツ情報の前記配信条件を登録したチケットを配信する場合において、前記情報配信装置から配信されてきた前記チケットを受信する、ステップと、
（ｂ）当該コンピュータの位置を特定する位置情報を格納する、ステップと、
（ｃ）格納されている前記位置情報から当該コンピュータの位置の履歴を特定し、特定した履歴に基づいて、受信している前記チケットの前記配信条件が満たされているかどうかを判定する、ステップと、
（ｄ）前記配信条件が満たされていると判定された場合に、前記情報配信装置に対して、前記チケットに対応するコンテンツ情報の配信を要求する、ステップと、
を実行させる、プログラム。
【発明の詳細な説明】
【技術分野】
【０００１】
本発明は、コンテンツ情報を配信するための、情報配信システム、情報配信装置、端末装置、情報配信方法に関し、更には、これらを実現するためのプログラムに関する。
【背景技術】
【０００２】
近年、ＧＰＳ（Global Positioning System）機能を搭載した携帯型の端末装置が、急速に普及している。これに伴い、ユーザの端末装置から取得した位置情報に基づいて、ユーザに対して、情報発信、コンテンツの提供といった各種サービスを提供する仕組みが提案されている（例えば、特許文献１参照。）
【０００３】
具体的には、特許文献１は、ユーザの位置情報及び期間を限定して、ユーザの端末に、時限的なコンテンツを提供するためのシステムを開示している。特許文献１に開示されたシステムは、ユーザの携帯型の端末装置と、コンテンツを提供するコンテンツ提供サーバと、ユーザとコンテンツ提供サーバとを関連付けて、ユーザにサービスを提供するサービス提供サーバとを備えている。
【０００４】
サービス提供サーバは、ユーザが所定のエリアに入ると、そのエリアで提供可能なサービスの一覧をユーザの端末に表示し、ユーザがいずれかのサービスを選択すると、ユーザＩＤを発行する。また、サービス提供サーバは、ユーザＩＤが発行されるとユーザＩＤが発行されたユーザの端末に、そのユーザが所定のエリアに存在している間、コンテンツを提供する。
【先行技術文献】
【特許文献】
【０００５】
【特許文献１】特開２００６−１４６５４９号公報
【発明の概要】
【発明が解決しようとする課題】
【０００６】
ところで、特許文献１に開示されたシステムでは、サービス提供サーバは、コンテンツ情報を配信する時点でのユーザの端末の位置情報に基づいて、提供可能なサービスの一覧を単に端末に表示させるだけである。つまり、特許文献１に開示されたシステムでは、特定のエリアに存在するユーザには、全て同じサービスの一覧が提示される。
【０００７】
しかしながら、同じエリアに存在するユーザであっても、過去（一定時間前）に存在していた位置、今までに辿ってきた経路に応じて、提供すべきコンテンツ情報は異なることがある。このため、ユーザ毎に、過去の行動に応じて適切な情報を配信できるシステムが求められている。
【０００８】
本発明の目的の一例は、上記問題を解消し、ユーザ毎に、過去の行動に応じた情報を配信する、情報配信システム、情報配信装置、端末装置、情報配信方法、及びプログラムを提供することにある。
【課題を解決するための手段】
【０００９】
上記目的を達成するため、本発明の一側面における情報配信システムは、
端末装置と、前記端末装置の要求に応じてコンテンツ情報を配信する、情報配信装置とを備え、
前記情報配信装置は、
前記コンテンツ情報毎に、前記端末装置の位置の履歴に基づく配信条件を設定する、配信条件設定部と、
前記コンテンツ情報毎に、当該コンテンツ情報の前記配信条件を登録したチケットを、前記端末装置に配信する、チケット配信部と、
を備え、
前記端末装置は、
配信されてきた前記チケットを受信する、チケット受信部と、
当該端末装置の位置を特定する位置情報を格納する、位置情報格納部と、
格納されている前記位置情報から当該端末装置の位置の履歴を特定し、特定した履歴に基づいて、受信している前記チケットの前記配信条件が満たされているかどうかを判定する、チケット有効化確認部と、
前記配信条件が満たされていると判定された場合に、前記情報配信装置に対して、前記チケットに対応するコンテンツ情報の配信を要求する、コンテンツ要求部と、
を備えている、
ことを特徴とする。
【００１０】
上記目的を達成するため、本発明の一側面における情報配信装置は、端末装置の要求に応じてコンテンツ情報を配信するための装置であって、
前記コンテンツ情報毎に、前記端末装置の位置の履歴に基づく配信条件を設定する、配信条件設定部と、
前記コンテンツ情報毎に、当該コンテンツ情報の前記配信条件を登録したチケットを、前記端末装置に配信する、チケット配信部と、
を備えている、
ことを特徴とする。
【００１１】
上記目的を達成するため、本発明の一側面における端末装置は、
コンテンツ情報を配信する情報配信装置と通信可能な端末装置であって、
前記情報配信装置が、前記コンテンツ情報毎に、前記端末装置の位置の履歴に基づく配信条件を設定し、当該コンテンツ情報の前記配信条件を登録したチケットを配信する場合において、前記情報配信装置から配信されてきた前記チケットを受信する、チケット受信部と、
当該端末装置の位置を特定する位置情報を格納する、位置情報格納部と、
格納されている前記位置情報から当該端末装置の位置の履歴を特定し、特定した履歴に基づいて、受信している前記チケットの前記配信条件が満たされているかどうかを判定する、チケット有効化確認部と、
前記配信条件が満たされていると判定された場合に、前記情報配信装置に対して、前記チケットに対応するコンテンツ情報の配信を要求する、コンテンツ要求部と、
を備えている、
ことを特徴とする。
【００１２】
また、上記目的を達成するため、本発明の一側面における情報配信方法は、端末装置と、前記端末装置の要求に応じてコンテンツ情報を配信する、情報配信装置とを用いた情報配信方法であって、
（ａ）前記情報配信装置によって、前記コンテンツ情報毎に、前記端末装置の位置の履歴に基づく配信条件を設定する、ステップと、
（ｂ）前記情報配信装置によって、前記コンテンツ情報毎に、当該コンテンツ情報の前記配信条件を登録したチケットを、前記端末装置に配信する、ステップと、
（ｃ）前記端末装置によって、配信されてきた前記チケットを受信する、チケット受信部と、
当該端末装置の位置を特定する位置情報を格納する、ステップと、
（ｄ）前記端末装置によって、格納されている前記位置情報から当該端末装置の位置の履歴を特定し、特定した履歴に基づいて、受信している前記チケットの前記配信条件が満たされているかどうかを判定する、ステップと、
（ｅ）前記（ｄ）のステップで、前記配信条件が満たされていると判定された場合に、前記情報配信装置に対して、前記チケットに対応するコンテンツ情報の配信を要求する、ステップと、を有する、
ことを特徴とする。
【００１３】
更に、上記目的を達成するため、本発明の一側面における第１のプログラムは、コンピュータによって、端末装置の要求に応じてコンテンツ情報を配信するためのプログラムであって、
前記コンピュータに、
（ａ）前記コンテンツ情報毎に、前記端末装置の位置の履歴に基づく配信条件を設定する、ステップと、
（ｂ）前記コンテンツ情報毎に、当該コンテンツ情報の前記配信条件を登録したチケットを、前記端末装置に配信する、ステップと、
を実行させる、
ことを特徴とする。
【００１４】
更に、上記目的を達成するため、本発明の一側面における第２のプログラムは、
コンテンツ情報を配信する情報配信装置と通信可能なコンピュータに、
（ａ）前記情報配信装置が、前記コンテンツ情報毎に、前記端末装置の位置の履歴に基づく配信条件を設定し、当該コンテンツ情報の前記配信条件を登録したチケットを配信する場合において、前記情報配信装置から配信されてきた前記チケットを受信する、ステップと、
（ｂ）当該コンピュータの位置を特定する位置情報を格納する、ステップと、
（ｃ）格納されている前記位置情報から当該コンピュータの位置の履歴を特定し、特定した履歴に基づいて、受信している前記チケットの前記配信条件が満たされているかどうかを判定する、ステップと、
（ｄ）前記配信条件が満たされていると判定された場合に、前記情報配信装置に対して、前記チケットに対応するコンテンツ情報の配信を要求する、ステップと、
を実行させることを特徴とする。
【発明の効果】
【００１５】
以上のように、本発明によれば、ユーザ毎に、過去の行動に応じた情報を配信することができる。
【図面の簡単な説明】
【００１６】
【図１】図１は、本発明の実施の形態における、報配信システム、情報配信装置及び端末装置の概略構成を示すブロック図である。
【図２】図２は、本発明の実施の形態における、報配信システム、情報配信装置及び端末装置の構成を具体的に示すブロック図である。
【図３】図３は、本発明の実施の形態において設定される配信条件の一例を示す図である。
【図４】図４は、本発明の実施の形態における情報配信システムの動作全体を示す説明図である。
【図５】図５は、本発明の実施の形態における情報配信装置のチケット配信時の動作を示すフロー図である。
【図６】図６は、本発明の実施の形態における端末装置のコンテンツ情報の要求時の動作を示すフロー図である。
【図７】図７は、本発明の実施の形態における情報配信装置のコンテンツ情報の配信時の処理を示すフロー図である。
【図８】図８は、本発明の実施の形態における情報配信装置又は端末装置を実現するコンピュータの一例を示すブロック図である。
【発明を実施するための形態】
【００１７】
（実施の形態）
以下、本発明の実施の形態における、情報配信システム、情報配信装置、端末装置、情報配信方法、及びプログラムについて、図１〜図８を参照しながら説明する。
【００１８】
［システム構成］
最初に、図１を用いて、本実施の形態における情報配信システム、情報配信装置及び端末装置の概略構成について説明する。図１は、本発明の実施の形態における、報配信システム、情報配信装置及び端末装置の概略構成を示すブロック図である。
【００１９】
図１に示すように、本実施の形態における情報配信システム１は、端末装置１０と、端末装置１０の要求に応じてコンテンツ情報を配信する、情報配信装置２０とを備えている。また、本実施の形態では、情報配信システム１は、複数の端末装置１０を備えており、各端末装置１０は、インターネット等のネットワーク４０を介して、情報配信装置２０に接続されている。図１の例では、複数の端末装置１０のうち、１の端末装置１０の構成のみが図示されており、他の端末装置１０の構成については図示を省略している。
【００２０】
また、図１に示すように、情報配信装置２０は、配信条件設定部２０１３と、チケット配信部２０１６とを備えている。
【００２１】
配信条件設定部２０１３は、コンテンツ情報毎に、端末装置１０の位置の履歴に基づく配信条件を設定する。チケット配信部２０１６は、コンテンツ情報毎に、当該コンテンツ情報の配信条件を登録したチケットを、端末装置１０に配信する。
【００２２】
更に、図１に示すように、端末装置１０は、チケット受信部１０３と、位置情報格納部１０２と、チケット有効化確認部１０４と、コンテンツ要求部１０５とを備えている。
【００２３】
チケット受信部１０３は、配信されてきたチケットを受信する。位置情報格納部１０２は、端末装置１０の位置を特定する位置情報を格納する。
【００２４】
また、チケット有効化確認部１０４は、位置情報格納部１０２が格納している位置情報から端末装置１０の位置の履歴を特定する。そして、チケット有効化確認部１０４は、特定した履歴に基づいて、チケット受信部１０３が受信しているチケットの配信条件が満たされているかどうかを判定する。
【００２５】
コンテンツ要求部１０５は、チケット有効化確認部１０４が配信条件を満たしていると判定した場合に、情報配信装置２０に対して、チケットに対応するコンテンツ情報の配信を要求する。
【００２６】
このように、本実施の形態における情報配信システム１では、配信条件に合致した場合にのみ有効となるチケットが端末装置１０に事前に配布され、ユーザにおいて配信条件が満たされた場合にのみ、端末装置にコンテンツ情報が配信される。そして、配信条件は、端末装置１０を利用するユーザの移動に基づいて設定されるので、情報配信システム１によれば、ユーザ毎に、過去の行動に応じた情報を配信することができる。
【００２７】
続いて、図２及び図３を用いて、本実施の形態における、情報配信システム、情報配信装置、及び端末装置の構成についてより具体的に説明する。図２は、本発明の実施の形態における、情報配信システム、情報配信装置及び端末装置の構成を具体的に示すブロック図である。図３は、本発明の実施の形態において設定される配信条件の一例を示す図である。
【００２８】
図２に示すように、本実施の形態では、情報配信システム１は、端末装置１０及び情報配信装置２０に加えて、位置情報提供システム３０を備えている。また、図２においても、複数の端末装置１０のうち、１の端末装置１０の構成のみが図示されており、他の端末装置１０の構成については図示を省略している。
【００２９】
情報配信装置２０は、本実施の形態では、情報制御部２０１と、コンテンツ管理データベース２０２とを備えている。このうち、コンテンツ管理データベース２０２は、配信対象となるコンテンツ情報２０２１と、設定された配信条件２０２２と、後述する利用実績２０２３とを格納している。
【００３０】
情報制御部２０１は、上述した配信条件設定部２０１３及びチケット配信部２０１６を備えている。更に、情報制御部２０１は、これらに加えて、コンテンツ登録部２０１１、コンテンツ検索部２０１２、配信条件検索部２０１４、コンテンツ配信部２０１５、利用実績登録部２０１７、及び利用実績検索部２０１８も備えている。
【００３１】
コンテンツ登録部２０１１は、外部から配信用のコンテンツ情報、例えば、動画データ、静止画データ、テキストデータ等が入力されると、入力されたコンテンツ情報を、コンテンツ管理データベース２０２に格納する。
【００３２】
配信条件設定部２０１３は、本実施の形態では、コンテンツ情報２０２１毎に、指定時刻又は指定期間における特定の位置（過去の位置）、及び指定時刻又は指定期間における移動距離（過去から現在までの移動距離）のうち少なくとも１つを配信条件として設定する。また、配信条件設定部２０１３は、設定した配信条件を、対応するコンテンツ情報２０２１と関連付けて、コンテンツ管理データベース２０２に格納する。
【００３３】
具体的には、配信条件設定部２０１３は、例えば、図３の項番００１に示す「２０１７／１０／１にＡＢＣ結婚式場にいた人が、２０１７／１０／１以降に東京都港区にいること」を配信条件として設定することができる。この場合、コンテンツ情報の配信によって、結婚式に来てくれた人に、お礼を示すメッセージを伝えることが可能となる。
【００３４】
また、配信条件設定部２０１３は、図３の項番００２及び００３に示すように、その日のＡＭ６:００にいた場所と川崎市中原区内の現在地点との距離が異なる配信条件を設定することもできる。この場合は、コンテンツ情報である特別クーポンと通常のクーポンとの出し分けを指定することが可能となる。
【００３５】
更に、配信条件設定部２０１３は、図３の項番号００４に示す配信条件を設定することもできる。この場合、コンテンツ情報の配信によって、故人の意思に基づいた、お墓参りに来てくれた方へのお別れメッセージの提供が可能となる。
【００３６】
チケット配信部２０１６は、本実施の形態では、設定された配信条件に加えて、送信先となるユーザのメールアドレス、送信時のメッセージ、該当するコンテンツ情報のファイル名等が登録されたチケットを作成する。そして、チケット配信部２０１６は、チケットを、送信先の端末装置１０に配信する。
【００３７】
利用実績登録部２０１７は、チケット配信部２０１６から端末装置１０へとチケットが配信された場合は、チケットの配信履歴を、コンテンツ管理データベース２０２に登録する。また、利用実績登録部２０１７は、後述するように、コンテンツ情報が端末装置１０に配信された後に、端末装置１０がコンテンツ情報を再生すると、再生されたこと、即ち、再生されたコンテンツ情報のファイル名、利用者の識別子、再生日時等を、利用実績２０２３として、コンテンツ管理データベース２０２に登録する。
【００３８】
利用実績検索部２０１８は、コンテンツ管理データベース２０２を検索して、特定のユーザにおけるコンテンツ情報の利用実績２０２３を特定する。
【００３９】
配信条件検索部２０１４は、端末装置１０から、コンテンツ情報の配信が要求されると、コンテンツ管理データベース２０２を検索して、要求されたコンテンツ情報に対して設定されている配信条件を特定する。
【００４０】
コンテンツ検索部２０１２は、端末装置１０から、コンテンツ情報が要求されると、まず、配信条件検索部２０１４及び利用実績検索部２０１８を利用し、端末装置１０からのコンテンツ情報の要求の正当性を確認する。
【００４１】
具体的には、コンテンツ検索部２０１２の指示により、配信条件検索部２０１４は、まず、コンテンツ情報を要求する端末装置１０から、後述する現在及び過去の位置情報とそれらにも付けられている時刻情報とを取得する。そして、配信条件検索部２０１４は、配信条件（図３参照）と、取得した位置情報及び時刻情報とを比較し、配信条件が満たされている事を確認する。また、コンテンツ検索部２０１２の指示により、利用実績検索部２０１８は、配信条件にコンテンツ再生回数制限がある場合に、利用実績情報と配信条件の合致している事を確認する。コンテンツ検索部２０１２は、配信条件検索部２０１４及び利用実績検索部２０１８の両方で確認できた場合は、端末装置１０からのコンテンツ情報の要求が正当であると判断する。
【００４２】
続いて、コンテンツ検索部２０１２は、コンテンツ情報の要求の正当性を確認できた場合は、コンテンツ管理データベース２０２を検索して、要求されたコンテンツ情報２０２１を取得する。また、コンテンツ検索部２０１２は、取得したコンテンツ情報２０２１を、コンテンツ配信部２０１５に渡す。
【００４３】
コンテンツ配信部２０１５は、コンテンツ検索部２０１２によって取得されたコンテンツ情報２０２１を、コンテンツ情報を要求した端末装置１０に配信する。
【００４４】
端末装置１０は、本実施の形態では、例えば、携帯電話端末、携帯ゲーム端末等の携帯型の端末装置により構成することができる。また、端末装置１０は、上述したチケット受信部１０３、位置情報格納部１０２、チケット有効化確認部１０４、及びコンテンツ要求部１０５に加えて、位置情報取得部１０１と、コンテンツ再生部１０６とを備えている。
【００４５】
位置情報取得部１０１は、それを備える端末装置１０の現在位置を特定する位置情報を、位置情報提供システム３０から取得する。また、位置情報取得部１０１は、設定された間隔で、位置情報を取得し、取得した位置情報を、取得時の時刻を特定する時刻情報と紐付けて、位置情報格納部１０２に格納する。
【００４６】
チケット有効化確認部１０４は、本実施の形態では、チケット受信部１０３が受信したチケットから配信条件を抽出し、更に、位置情報格納部１０２から、それに格納されている位置情報及びそれに紐付けられている時刻情報を抽出する。そして、チケット有効化確認部１０４は、配信条件と、位置情報及び時刻情報とを比較して、配信条件が満たされているかどうかを判定する。
【００４７】
判定の結果、配信条件が満たされている場合は、チケット有効化確認部１０４は、そのことをコンテンツ要求部１０５に通知する。この場合、コンテンツ要求部１０５は、上述したように、情報配信装置２０にコンテンツ情報の配信を要求する。
【００４８】
また、チケット有効化確認部１０４は、配信条件が満たされている場合に、端末装置１０に、配信条件が満たされているコンテンツ情報（再生可能なコンテンツ情報）が存在することを通知することもできる。この場合、チケット有効化確認部１０４は、ユーザが再生を許可したことを条件に、コンテンツ要求部１０５に、コンテンツ情報の配信を要求させる。
【００４９】
コンテンツ再生部１０６は、情報配信装置２０からコンテンツ情報が配信されてくると、配信されてきたコンテンツ情報を再生する。例えば、コンテンツ情報として、動画データが配信されてきた場合は、コンテンツ再生部１０６は、端末装置１０の画面上に、動画を表示させる。
【００５０】
位置情報提供システム３０は、端末装置１０それぞれの位置情報を生成し、これを出力するシステムである。具体的には、位置情報提供システム３０は、端末装置が発する電波を検出し、検出した電波の強度及び電波が検出されたアンテナ位置等に基づいて、端末装置の位置を特定し、位置情報を生成する。また、位置情報提供システム３０は、ＧＰＳ受信機等でも良く、この場合は、端末装置１０それぞれに内蔵される。
【００５１】
［システム動作］
次に、本実施の形態における情報配信システム１、情報配信装置２０及び端末装置１０の動作について図４〜図７を用いて説明する。また、以下の説明においては、適宜図１〜図３を参照する。また、本実施の形態では、情報配信システム１を動作させることによって、情報配信方法が実施される。よって、本実施の形態における情報配信方法の説明は、以下の情報配信システム１の動作説明に代える。
【００５２】
最初に、情報配信装置２０におけるチケット配信処理について、図４及び図５を用いて説明する。図４は、本発明の実施の形態における情報配信システムの動作全体を示す説明図である。図５は、本発明の実施の形態における情報配信装置のチケット配信時の動作を示すフロー図である。
【００５３】
図５に示すように、最初、情報配信装置２０において、外部から配信用のコンテンツ情報が入力されると、コンテンツ登録部２０１１が、入力されたコンテンツ情報を、コンテンツ管理データベース２０２に格納して、これを登録する（ステップＡ１）。ステップＡ１は、図４における（１）コンテンツ登録と（２）コンテンツ格納とに該当する。
【００５４】
次に、配信条件設定部２０１３は、ステップＡ１で登録したコンテンツ情報２０２１について配信条件を設定し、設定した配信条件を、対応するコンテンツ情報２０２１に関連付けて、コンテンツ管理データベース２０２に格納する（ステップＡ２）。ステップＡ２は、図４における（３）配信条件登録と（４）配信条件格納とに該当する。
【００５５】
次に、チケット配信部２０１６は、ステップＡ２で設定された配信条件を用いてチケットを作成し、作成したチケットを、送信先の端末装置１０に配信する（ステップＡ３）。ステップＡ３は、図４における（５）チケット配信に該当する。
【００５６】
続いて、端末装置１０におけるコンテンツ情報の要求処理について、図４及び図６を用いて説明する。図６は、本発明の実施の形態における端末装置のコンテンツ情報の要求時の動作を示すフロー図である。
【００５７】
図６に示すように、最初に、端末装置１０において、チケット受信部１０３は、情報配信装置２０から配信されてきたチケットを受信する（ステップＢ１）。ステップＢ１は、図４における（６）チケット受信に該当する。
【００５８】
次に、位置情報取得部１０１は、端末装置１０の現在位置を特定する位置情報を、位置情報提供システム３０から取得し、取得した位置情報を、位置情報格納部１０２に格納する（ステップＢ２）。ステップＢ２は、図４における（７）位置情報配信と（８）位置情報取得と（９）位置情報格納とに該当する。
【００５９】
次に、チケット有効化確認部１０４は、位置情報格納部１０２が格納している位置情報から端末装置１０の位置の履歴を特定し、特定した履歴に基づいて、ステップＢ１で受信されたチケットの配信条件が満たされているかどうかを判定する（ステップＢ３）。ステップＢ３は、図４における（１０）チケット有効化確認に該当する。
【００６０】
ステップＢ３の判定の結果、配信条件が満たされていない場合は、端末装置１０における処理は終了する。一方、ステップＢ３の判定の結果、配信条件が満たされている場合は、コンテンツ要求部１０５は、情報配信装置２０に対して、チケットに対応するコンテンツ情報の配信を要求する（ステップＢ４）。ステップＢ４は、図４における（１１）コンテンツ要求に該当する。
【００６１】
続いて、情報配信装置２０におけるコンテンツ情報の配信処理について、図４及び図７を用いて説明する。図７は、本発明の実施の形態における情報配信装置のコンテンツ情報の配信時の処理を示すフロー図である。
【００６２】
最初に、コンテンツ検索部２０１２は、端末装置１０から、コンテンツ情報が要求されると、コンテンツ情報の要求の正当性を確認し、正当性を確認できると、コンテンツ管理データベース２０２を検索して、要求されたコンテンツ情報２０２１を取得する（ステップＣ１）。ステップＣ１は、図４における（１２）コンテンツ検索と（１３）コンテンツ返却とに該当する。
【００６３】
次に、コンテンツ配信部２０１５は、ステップＣ１で取得されたコンテンツ情報２０２１を、コンテンツ情報を要求した端末装置１０に配信する（ステップＣ２）。ステップＣ２は、図４における（１４）コンテンツ配信に該当する。
【００６４】
また、ステップＣ２が実行されると、端末装置１０において、コンテンツ再生部１０６が、配信されてきたコンテンツ情報を再生する。また、コンテンツ再生部１０６は、コンテンツ情報を再生したことを通知するため、再生されたコンテンツ情報のファイル名、利用者の識別子、再生日時等を情報配信装置２０に送信する。これらの端末装置１０における処理は、図４における（１５）コンテンツ再生に該当する。
【００６５】
次に、利用実績登録部２０１７は、コンテンツ情報が端末装置１０で再生され、そのことが通知されると、再生されたコンテンツ情報のファイル名、利用者の識別子、再生日時等を、利用実績２０２３として、コンテンツ管理データベース２０２に登録する（ステップＣ３）。ステップＣ３は、図４における（１６）利用実績登録と（１７）利用実績格納とに該当する。
【００６６】
以上のように本実施の形態によれば、配信条件が設定されたチケットを端末装置１０に配信することで、位置情報を利用した時限的なコンテンツの提供が可能になる。
【００６７】
例えば、配信条件として、図３の項番００１を採用すれば、結婚式場から帰った後に見てほしいコンテンツの配信が時限的に可能になる。また、配信条件として、図３の項番００２及び００３を採用すれば、移動距離に応じてクーポンを出し分けることが可能になり、クーポン広告の有効性を移動距離という指標で確認することが可能になる。更に、図３の項番００４を採用すれば、故人の意思に沿ってお墓参りに来てくれた方にお別れメッセージを提供することが可能になる。
【００６８】
このように、本実施の形態における情報配信システム１によれば、ユーザ毎に、過去の行動に応じた情報を配信することができるので、配信者及び受信者のニーズに合致する細やかな情報配信が可能になる。
【００６９】
［プログラム］
本実施の形態における第１プログラムは、コンピュータに、図５に示すステップＡ１〜Ａ３、及び図７に示すステップＣ１〜Ｃ３を実行させるプログラムであれば良い。このプログラムをコンピュータにインストールし、実行することによって、本実施の形態における情報配信装置２０を実現することができる。この場合、コンピュータのＣＰＵ（Central Processing Unit）は、コンテンツ登録部２０１１、コンテンツ検索部２０１２、配信条件設定部２０１３、配信条件検索部２０１４、コンテンツ配信部２０１５、チケット配信部２０１６、利用実績登録部２０１７、及び利用実績検索部２０１８として機能し、処理を行なう。
【００７０】
また、本実施の形態では、コンテンツ管理データベース２０２は、コンピュータに備えられたハードディスク等の記憶装置に、これらを構成するデータファイルを格納することによって実現できる。
【００７１】
また、本実施の形態における第１のプログラムは、複数のコンピュータによって構築されたコンピュータシステムによって実行されても良い。この場合は、例えば、各コンピュータが、それぞれ、コンテンツ登録部２０１１、コンテンツ検索部２０１２、配信条件設定部２０１３、配信条件検索部２０１４、コンテンツ配信部２０１５、チケット配信部２０１６、利用実績登録部２０１７、及び利用実績検索部２０１８のいずれかとして機能しても良い。また、コンテンツ管理データベース２０２は、本実施の形態におけるプログラムを実行するコンピュータとは別のコンピュータ上に構築されていても良い。
【００７２】
加えて、本実施の形態における第２プログラムは、コンピュータに、図６に示すステップＢ１〜Ｂ４を実行させるプログラムであれば良い。このプログラムをコンピュータにインストールし、実行することによって、本実施の形態における端末装置１０を実現することができる。この場合、コンピュータのＣＰＵ（Central Processing Unit）は、位置情報取得部１０１、位置情報格納部１０２、チケット受信部１０３、チケット有効化確認部１０４、及びコンテンツ要求部１０５として機能し、処理を行なう。
【００７３】
ここで、本実施の形態におけるプログラムを実行することによって、情報配信装置２０又は端末装置１０を実現するコンピュータについて図８を用いて説明する。図８は、本発明の実施の形態における情報配信装置又は端末装置を実現するコンピュータの一例を示すブロック図である。
【００７４】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００７５】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００７６】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００７７】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００７８】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００７９】
なお、本実施の形態における情報配信装置２０及び端末装置１０は、それぞれ、プログラムがインストールされたコンピュータではなく、各部に対応したハードウェアを用いることによっても実現可能である。更に、情報配信装置２０及び端末装置１０は、それぞれ、一部がプログラムで実現され、残りの部分がハードウェアで実現されていてもよい。
【００８０】
上述した実施の形態の一部又は全部は、以下に記載する（付記１）〜（付記１４）によって表現することができるが、以下の記載に限定されるものではない。
【００８１】
（付記１）
端末装置と、前記端末装置の要求に応じてコンテンツ情報を配信する、情報配信装置とを備え、
前記情報配信装置は、
前記コンテンツ情報毎に、前記端末装置の位置の履歴に基づく配信条件を設定する、配信条件設定部と、
前記コンテンツ情報毎に、当該コンテンツ情報の前記配信条件を登録したチケットを、前記端末装置に配信する、チケット配信部と、
を備え、
前記端末装置は、
配信されてきた前記チケットを受信する、チケット受信部と、
当該端末装置の位置を特定する位置情報を格納する、位置情報格納部と、
格納されている前記位置情報から当該端末装置の位置の履歴を特定し、特定した履歴に基づいて、受信している前記チケットの前記配信条件が満たされているかどうかを判定する、チケット有効化確認部と、
前記配信条件が満たされていると判定された場合に、前記情報配信装置に対して、前記チケットに対応するコンテンツ情報の配信を要求する、コンテンツ要求部と、
を備えている、
ことを特徴とする情報配信システム。
【００８２】
（付記２）
前記情報配信装置において、前記配信条件設定部が、指定時刻又は指定期間における特定の位置、及び指定時刻又は指定期間における移動距離のうち少なくとも１つを配信条件として設定する、
付記１に記載の情報配信システム。
【００８３】
（付記３）
前記情報配信装置が、
前記端末装置に対して前記コンテンツ情報が配信された後に、前記端末装置が前記コンテンツ情報を再生した場合に、そのことを利用実績として登録する、利用実績登録部を、更に備えている、
付記１または２に記載の情報配信システム。
【００８４】
（付記４）
端末装置の要求に応じてコンテンツ情報を配信するための装置であって、
前記コンテンツ情報毎に、前記端末装置の位置の履歴に基づく配信条件を設定する、配信条件設定部と、
前記コンテンツ情報毎に、当該コンテンツ情報の前記配信条件を登録したチケットを、前記端末装置に配信する、チケット配信部と、
を備えている、
ことを特徴とする情報配信装置。
【００８５】
（付記５）
前記配信条件設定部が、指定時刻又は指定期間における特定の位置、及び指定時刻又は指定期間における移動距離のうち少なくとも１つを配信条件として設定する、
付記４に記載の情報配信装置。
【００８６】
（付記６）
前記端末装置に対して前記コンテンツ情報が配信された後に、前記端末装置が前記コンテンツ情報を再生した場合に、そのことを利用実績として登録する、利用実績登録部を、更に備えている、
付記４または５に記載の情報配信装置。
【００８７】
（付記７）
コンテンツ情報を配信する情報配信装置と通信可能な端末装置であって、
前記情報配信装置が、前記コンテンツ情報毎に、前記端末装置の位置の履歴に基づく配信条件を設定し、当該コンテンツ情報の前記配信条件を登録したチケットを配信する場合において、前記情報配信装置から配信されてきた前記チケットを受信する、チケット受信部と、
当該端末装置の位置を特定する位置情報を格納する、位置情報格納部と、
格納されている前記位置情報から当該端末装置の位置の履歴を特定し、特定した履歴に基づいて、受信している前記チケットの前記配信条件が満たされているかどうかを判定する、チケット有効化確認部と、
前記配信条件が満たされていると判定された場合に、前記情報配信装置に対して、前記チケットに対応するコンテンツ情報の配信を要求する、コンテンツ要求部と、
を備えている、
ことを特徴とする端末装置。
【００８８】
（付記８）
端末装置と、前記端末装置の要求に応じてコンテンツ情報を配信する、情報配信装置とを用いた情報配信方法であって、
（ａ）前記情報配信装置によって、前記コンテンツ情報毎に、前記端末装置の位置の履歴に基づく配信条件を設定する、ステップと、
（ｂ）前記情報配信装置によって、前記コンテンツ情報毎に、当該コンテンツ情報の前記配信条件を登録したチケットを、前記端末装置に配信する、ステップと、
（ｃ）前記端末装置によって、配信されてきた前記チケットを受信する、チケット受信部と、
当該端末装置の位置を特定する位置情報を格納する、ステップと、
（ｄ）前記端末装置によって、格納されている前記位置情報から当該端末装置の位置の履歴を特定し、特定した履歴に基づいて、受信している前記チケットの前記配信条件が満たされているかどうかを判定する、ステップと、
（ｅ）前記（ｄ）のステップで、前記配信条件が満たされていると判定された場合に、前記情報配信装置に対して、前記チケットに対応するコンテンツ情報の配信を要求する、ステップと、を有する、
ことを特徴とする情報配信方法。
【００８９】
（付記９）
前記（ａ）のステップにおいて、前記配信条件設定部が、指定時刻又は指定期間における特定の位置、及び指定時刻又は指定期間における移動距離のうち少なくとも１つを配信条件として設定する、
付記８に記載の情報配信方法。
【００９０】
（付記１０）
（ｆ）前記端末装置に対して前記コンテンツ情報が配信された後に、前記端末装置が前記コンテンツ情報を再生した場合に、前記情報配信装置によって、
そのことを利用実績として登録する、ステップを、更に有する、
付記８または９に記載の情報配信方法。
【００９１】
（付記１１）
コンピュータによって、端末装置の要求に応じてコンテンツ情報を配信するためのプログラムであって、
前記コンピュータに、
（ａ）前記コンテンツ情報毎に、前記端末装置の位置の履歴に基づく配信条件を設定する、ステップと、
（ｂ）前記コンテンツ情報毎に、当該コンテンツ情報の前記配信条件を登録したチケットを、前記端末装置に配信する、ステップと、
を実行させる、
ことを特徴とするプログラム。
【００９２】
（付記１２）
前記（ａ）のステップにおいて、指定時刻又は指定期間における特定の位置、及び指定時刻又は指定期間における移動距離のうち少なくとも１つを配信条件として設定する、
付記１１に記載のプログラム。
【００９３】
（付記１３）
前記コンピュータに、
（ｃ）前記端末装置に対して前記コンテンツ情報が配信された後に、前記端末装置が前記コンテンツ情報を再生した場合に、そのことを利用実績として登録する、ステップを更に実行させる、
付記１１または１２に記載のプログラム。
【００９４】
（付記１４）
コンテンツ情報を配信する情報配信装置と通信可能なコンピュータに、
（ａ）前記情報配信装置が、前記コンテンツ情報毎に、前記端末装置の位置の履歴に基づく配信条件を設定し、当該コンテンツ情報の前記配信条件を登録したチケットを配信する場合において、前記情報配信装置から配信されてきた前記チケットを受信する、ステップと、
（ｂ）当該コンピュータの位置を特定する位置情報を格納する、ステップと、
（ｃ）格納されている前記位置情報から当該コンピュータの位置の履歴を特定し、特定した履歴に基づいて、受信している前記チケットの前記配信条件が満たされているかどうかを判定する、ステップと、
（ｄ）前記配信条件が満たされていると判定された場合に、前記情報配信装置に対して、前記チケットに対応するコンテンツ情報の配信を要求する、ステップと、
を実行させる、プログラム。
【産業上の利用可能性】
【００９５】
以上のように、本発明によれば、ユーザ毎に、過去の行動に応じた情報を配信することができる。本発明は、携帯電話、携帯ゲーム機といった携帯性の優れた電子機器に有用である。また、本発明は、自動車、鉄道、飛行機といった交通手段に搭載する設備に有用である。更に、本発明は、各種情報（クーポン、映像、音楽、冠婚葬祭用のお別れメッセージ、お祝いメッセージ）を配信するシステムにも有用である。
【符号の説明】
【００９６】
１  情報配信システム
１０  端末装置
２０  情報配信装置
３０  位置情報提供システム
４０  ネットワーク
１０１  位置情報取得部
１０２  位置情報格納部
１０３  チケット受信部
１０４  チケット有効化確認部
１０５  コンテンツ要求部
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
２０２  コンテンツ管理データベース
２０１１  コンテンツ登録部
２０１２  コンテンツ検索部
２０１３  配信条件設定部
２０１４  配信条件検索部
２０１５  コンテンツ配信部
２０１６  チケット配信部
２０１７  利用実績登録部
２０１８  利用実績検索部
【図１】
2018151967.tif 000003
【図２】
2018151967.tif 000004
【図３】
2018151967.tif 000005
【図４】
2018151967.tif 000006
【図５】
2018151967.tif 000007
【図６】
2018151967.tif 000008
【図７】
2018151967.tif 000009
【図８】
2018151967.tif 000010